(57)【要約】  本開示は、電子デバイス及び電子デバイスの製造方法を提供する。電子デバイスは、光透過性ディスプレイスクリーンと、光透過性カバープレートと、１又は複数の光センサとを含んでいる。光透過性ディスプレイスクリーンは、第１の表面及び第１の表面と反対側の第２の表面とを含んでいる。光透過性カバープレートは、第１の表面に対向し、光透過性ディスプレイスクリーンを覆うとともに、平板部と１又は複数の曲面部とを含んでいる。１又は複数の曲面部は、平板部から離れるように延在し、光透過性ディスプレイスクリーンから水平方向に突出し、光透過性ディスプレイスクリーンに向かって垂直方向に湾曲して、光透過性ディスプレイスクリーンとともに１又は複数の収容空間を形成する。１又は複数の光センサは、１又は複数の収容空間（１４）に配置される。
2021502602.tif 000002
【特許請求の範囲】
【請求項１】
光透過性ディスプレイスクリーン（１３）であって、第１の表面及び前記第１の表面と反対側の第２の表面を備える光透過性ディスプレイスクリーン（１３）と、
前記光透過性ディスプレイスクリーン（１３）の前記第１の表面に対向し、前記光透過性ディスプレイスクリーン（１３）を覆う光透過性カバープレート（１１）であって、前記光透過性カバープレート（１１）は平板部（１１１）と１又は複数の曲面部（１１２）とを備え、前記１又は複数の曲面部は、前記平板部（１１１）から離れるように延在し、前記光透過性ディスプレイスクリーン（１３）から水平方向に突出し、前記光透過性ディスプレイスクリーン（１３）に向かって垂直方向に湾曲して、前記光透過性ディスプレイスクリーン（１３）とともに１又は複数の収容空間（１４）を形成している、光透過性カバープレート（１１）と、
前記１又は複数の収容空間（１４）に配置された１又は複数の光センサ（１５）であって、前記１又は複数の曲面部（１１２）を介して可視光を受光する、１又は複数の光センサ（１５）と、
を備える電子デバイス（１００）。
【請求項２】
前記１又は複数の曲面部（１１２）のそれぞれは、窓領域（１１２３）を備えており、前記１又は複数の光センサ（１５）のそれぞれは、前記窓領域（１１２３）に対向している、請求項１に記載の電子デバイス（１００）。
【請求項３】
前記複数の曲面部（１１２）は、第１の曲面部（１１２１）及び第２の曲面部（１１２２）を備えており、前記複数の収容空間（１４）は、第１の収容空間及び第２の収容空間を備えており、前記第１の収容空間は、前記第１の曲面部（１１２１）及び前記光透過性ディスプレイスクリーン（１３）によって形成され、前記第２の収容空間は、前記第２の曲面部（１１２２）及び前記光透過性ディスプレイスクリーン（１３）によって形成され、前記複数の光センサ（１５）は、第１の光センサ及び第２の光センサを備えており、前記第１の光センサは前記第１の収容空間に位置しており、前記第２の光センサは前記第２の収容空間に位置している、請求項１又は２に記載の電子デバイス（１００）。
【請求項４】
前記光透過性ディスプレイスクリーン（１３）は、平坦なディスプレイスクリーンである、請求項１から３のいずれか一項に記載の電子デバイス（１００）。
【請求項５】
前記光透過性ディスプレイスクリーン（１３）は、平坦なディスプレイ部分（１３３）と、前記平坦なディスプレイ部分（１３３）から離れるように延在する湾曲したディスプレイ部分（１３４）とを備え、前記平坦なディスプレイ部分（１３３）は、第３の表面を有し、前記湾曲したディスプレイ部分（１３４）は、第４の表面を有し、前記第３の表面及び前記第４の表面は、前記第１の表面を構成し、前記光透過性カバープレート（１１）の横方向サイズは、前記光透過性ディスプレイスクリーン（１３）の横方向サイズよりも大きい、請求項１から３のいずれか一項に記載の電子デバイス（１００）。
【請求項６】
光透過性タッチパネル（１２）をさらに備え、前記光透過性タッチパネル（１２）は、前記光透過性ディスプレイスクリーン（１３）の上方に配置され、前記第１の表面は、前記光透過性タッチパネル（１２）に対向しており、前記光透過性タッチパネル（１２）は、９０％より大きい可視光透過性を有する、請求項１から５のいずれか一項に記載の電子デバイス（１００）。
【請求項７】
前記第１の表面は、表示領域（１３１１）を含み、前記光透過性ディスプレイスクリーン（１３）は、前記表示領域（１３１１）を通る発光ディスプレイのために使用され、前記光透過性カバープレート（１１）の面積に対する前記表示領域（１３１１）の面積の比率は、９０％より大きい、請求項１から６のいずれか一項に記載の電子デバイス（１００）。
【請求項８】
前記１又は複数の光センサ（１５）は、周囲光センサを備えており、前記周囲光センサは、前記光透過性ディスプレイスクリーン（１３）の輝度を調整するために周囲光を検知するように構成される、請求項１から７のいずれか一項に記載の電子デバイス（１００）。
【請求項９】
前記第２の表面を覆うバッファ層（１６）をさらに備える、請求項１から８のいずれか一項に記載の電子デバイス（１００）。
【請求項１０】
前記バッファ層（１６）を覆う金属シート（１７）をさらに備える、請求項９に記載の電子デバイス（１００）。
【請求項１１】
電子デバイス（１００）の製造方法であって、
光透過性ディスプレイスクリーン（１３）を提供することであって、ここで、前記光透過性ディスプレイスクリーン（１３）は、第１の表面と、前記第１の表面と反対側の第２の表面とを備えることと、
前記光透過性ディスプレイスクリーン（１３）の第１の表面を光透過性カバープレート（１１）で覆うことであって、ここで、前記光透過性カバープレート（１１）は、平板部（１１１）と曲面部（１１２）とを備え、前記曲面部（１１２）は、前記平板部（１１１）から離れるように延在し、前記光透過性ディスプレイスクリーン（１３）から水平に突出し、前記光透過性ディスプレイスクリーン（１３）に向かって垂直方向に湾曲して、前記光透過性ディスプレイスクリーン（１３）とともに収容空間（１４）を形成することと、
光センサ（１５）を提供し、前記光センサ（１５）を前記収容空間（１４）内に配置することであって、ここで、前記光センサ（１５）は、前記曲面部（１１２）を介して可視光を受光するように構成されることと、
を備える電子デバイス（１００）の製造方法。
【請求項１２】
前記曲面部（１１２）に窓領域（１１２３）を提供することであって、前記光センサ（１５）が、前記窓領域（１１２３）に対向するように配置されることを、さらに備える、請求項１１に記載の電子デバイス（１００）の製造方法。
【請求項１３】
前記第１の表面に光透過性タッチパネル（１２）を提供することを、さらに備える、請求項１１又は１２に記載の電子デバイス（１００）の製造方法。
【請求項１４】
前記第２の表面にバッファ層（１６）を提供することであって、前記バッファ層（１６）が前記第２の表面を覆うことを、さらに備える、請求項１１から１３のいずれか一項に記載の電子デバイス（１００）の製造方法。
【請求項１５】
前記バッファ層（１６）を覆う金属シート（１７）を提供することを、さらに備える、請求項１４に記載の電子デバイス（１００）の製造方法。
【発明の詳細な説明】
【技術分野】
【０００１】
本開示は、電子技術の分野に関し、特に、電子デバイス及びその製造方法に関する。
【背景技術】
【０００２】
携帯電話製品がフルスクリーン時代に移行するにつれて、携帯電話のスクリーン対ボディ比が増大し、ハードウェア及び構造技術に対する要求が高まっている。一般に、既存の携帯電話は、光センサをスクリーンの上部に設置するが、スクリーンの外側のスペースが小さくなるにつれて、光センサを元の位置に配置することができなくなっている。このため、光センサとフルスクリーンとの間の干渉なしに光センサを如何にフルスクリーンに設置するかが、解決すべき緊急の課題となっている。
【発明の概要】
【０００３】
本開示の実施形態は、電子デバイス及びその製造方法を提供する。
【０００４】
本開示の実施形態に係る電子デバイスは、
光透過性ディスプレイスクリーンであって、第１の表面及び第１の表面と反対側の第２の表面を備える光透過性ディスプレイスクリーンと、
光透過性ディスプレイスクリーンの第１の表面に対向し、光透過性ディスプレイスクリーンを覆う光透過性カバープレートであって、光透過性カバープレートは平板部と１又は複数の曲面部とを備え、１又は複数の曲面部は、平板部から離れるように延在し、光透過性ディスプレイスクリーンから水平方向に突出し、光透過性ディスプレイスクリーンに向かって垂直方向に湾曲して、光透過性ディスプレイスクリーンとともに１又は複数の収容空間を形成する、光透過性カバープレートと、
１又は複数の収容空間に配置された１又は複数の光センサであって、１又は複数の曲面部を介して可視光を受光する、１又は複数の光センサと、
を含んでいる。
【０００５】
いくつかの実施形態では、１又は複数の曲面部のそれぞれが、窓領域を含んでおり、１又は複数の光センサのそれぞれが、窓領域に対向している。
【０００６】
いくつかの実施形態では、複数の曲面部は、第１の曲面部及び第２の曲面部を含んでおり、複数の収容空間は、第１の収容空間及び第２の収容空間を含んでおり、第１の収容空間は、第１の曲面部及び光透過性ディスプレイスクリーンによって形成され、第２の収容空間は、第２の曲面部及び光透過性ディスプレイスクリーンによって形成され、複数の光センサは、第１の光センサ及び第２の光センサを含んでおり、第１の光センサは第１の収容空間に位置しており、第２の光センサは第２の収容空間に位置している。
【０００７】
いくつかの実施形態では、光透過性ディスプレイスクリーンは、平坦なディスプレイスクリーンである。
【０００８】
いくつかの実施形態では、光透過性ディスプレイスクリーンは、平坦なディスプレイ部分と、平坦なディスプレイ部分から離れるように延在する湾曲したディスプレイ部分とを含んでおり、平坦なディスプレイ部分は、第３の表面を有し、湾曲したディスプレイ部分は、第４の表面を有し、第３の表面及び第４の表面は、第１の表面を構成し、光透過性カバープレートの横方向サイズは、光透過性ディスプレイスクリーンの横方向サイズよりも大きい。
【０００９】
いくつかの実施形態では、光透過性タッチパネルをさらに含んでおり、光透過性タッチパネルは、光透過性ディスプレイスクリーンの上方に配置され、第１の表面は、光透過性タッチパネルに対向しており、光透過性タッチパネルは、９０％より大きい可視光透過性を有する。
【００１０】
いくつかの実施形態では、第１の表面は、表示領域を含み、光透過性ディスプレイスクリーンは、表示領域を通る発光ディスプレイのために使用され、光透過性カバープレートの面積に対する表示領域の面積の比率は、９０％より大きい。
【００１１】
いくつかの実施形態では、１又は複数の光センサは、周囲光センサを含んでおり、周囲光センサは、光透過性ディスプレイスクリーンの輝度を調整するために周囲光を検知するように構成される。
【００１２】
いくつかの実施形態では、電子デバイスは、第２の表面を覆うバッファ層をさらに含んでいる。
【００１３】
いくつかの実施形態では、電子デバイスは、バッファ層を覆う金属シートをさらに含んでいる。
【００１４】
本開示の実施形態に係る電子デバイスの製造方法は、
光透過性ディスプレイスクリーンを提供することであって、ここで、光透過性ディスプレイスクリーンは、第１の表面と、第１の表面と反対側の第２の表面とを備えることと、
光透過性ディスプレイスクリーンの第１の表面を光透過性カバープレートで覆うことであって、ここで、光透過性カバープレートは、平板部と曲面部とを備え、曲面部は、平板部から離れるように延在し、光透過性ディスプレイスクリーンから水平に突出し、光透過性ディスプレイスクリーンに向かって垂直方向に湾曲して、光透過性ディスプレイスクリーンとともに収容空間を形成することと、
光センサを提供し、光センサを収容空間内に配置することであって、ここで、光センサは、曲面部を介して可視光を受光するように構成されることと、
を含んでいる。
【００１５】
いくつかの実施形態では、曲面部に窓領域を提供することであって、光センサが、窓領域に対向するように配置されることを、さらに含んでいる。
【００１６】
いくつかの実施形態では、第１の表面に光透過性タッチパネルを提供することを、さらに含んでいる。
【００１７】
いくつかの実施形態では、第２の表面にバッファ層を提供することであって、バッファ層が第２の表面を覆うことを、さらに含んでいる。
【００１８】
いくつかの実施形態では、バッファ層を覆う金属シートを提供することを、さらに含んでいる。
【００１９】
本開示の実施形態に係る電子デバイス及び製造方法においては、電子デバイスは光透過性ディスプレイスクリーンを採用しており、光透過性カバープレートは光透過性ディスプレイスクリーンを覆い、光透過性カバープレートの横方向サイズは、光透過性ディスプレイスクリーンの横方向サイズより大きく、光透過性カバープレートの曲面部の突出部及び光透過性ディスプレイスクリーンは収容空間を形成し、光センサは、フルスクリーンの場合、収容空間の内部に配置され、光センサは、曲面部を介して、可視光を受ける。このようにして、光センサが、他の要素と干渉すること無く、その機能を安定的に実現できることが保証される。
【図面の簡単な説明】
【００２０】
本開示の実施形態のこれら及び他の態様及び利点は、図面を参照してなされる以下の説明から明らかになり、より容易に理解されるであろう。
【図１】図１は、本開示の実施形態に係る電子デバイスの概略斜視図である。
【図２】図２は、本開示の実施形態に係る光透過性カバープレートの概略斜視図である。
【図３】図３は、本開示のいくつかの実施形態に係る電子デバイスの断面図である。
【図４】図４は、本開示のいくつかの実施形態に係る電子デバイスの断面図である。
【図５】図５は、本開示のいくつかの実施形態に係る電子デバイスの断面図である。
【図６】図６は、本開示のいくつかの実施形態に係る電子デバイスの断面図である。
【図７】図７は、本開示の実施形態に係る電子デバイスの製造方法のフローチャートである。
【図８】図８は、本開示のいくつかの実施形態に係る電子デバイスの製造方法のフローチャートである。
【図９】図９は、本開示のいくつかの実施形態に係る電子デバイスの製造方法のフローチャートである。
【図１０】図１０は、本開示の実施形態に係る電子デバイスの製造方法のフローチャートである。
【発明を実施するための形態】
【００２１】
以下、本発明の実施形態を詳細に説明し、実施形態の例を添付図面に示す。同一又は類似の要素および同一又は類似の機能を有する要素は、説明全体を通して同様の参照番号によって示される。図面を参照して本明細書に記載された実施形態は例示的なものであり、本開示を説明することを目的とするが、本開示を限定するものと解釈されるべきではない。
【００２２】
本明細書では、「中央」、「長手方向」、「横方向」、「長さ」、「幅」、「厚さ」、「上側」、「下側」、「前」、「後」、「左」、「右」、「垂直」、「水平」、「頂部」、「底部」、「内側」、「外側」、「時計回り」、「反時計回り」、「軸」、「半径」、及び「円周」などの用語は、説明の図面において記述した又は図示した方向又は位置を参照するものと解釈すべきであると理解されよう。これらの関連する用語は、説明の便宜上のものであり、参照した装置や要素が特定の方向性を有していたり、特定の方向に解釈されていたり動作したりすることを、示したり、示唆したりするものではなく、したがって、本開示を限定するように解釈することはできない。
【００２３】
本開示の説明では、別段の指定又は限定がない限り、「取り付けられた」、「接続された」、及び「結合された」という用語ならびにそれらの変形は、広い概念で使用され、例えば、固定接続、取外し可能接続、又は一体接続であってもよく、機械的又は電気的接続であってもよく、直接接続又は介在構造を介した間接接続であってもよく、特定の状況に応じて当業者が理解することができる２つの要素の内部通信であってもよいことを理解されたい。
【００２４】
携帯電話機、タブレットパソコンなどの電子機器は、一般的に、設置された光センサを用いて、光強度を検出する。携帯電話を例にとると、一般に、光センサが携帯電話の上部に設けられている。ユーザが異なる光の状態にいる場合、光センサは、受けた周辺光情報をプロセッサにフィードバックし、プロセッサは、自動的にディスプレイスクリーンの輝度を調整するように対応する命令を実行する。関連技術においては、電子機器に光センサを設けるべく、可視光信号を受けるために、対応する開口を筐体に設ける必要がある。電子機器の発達に伴って、携帯電話の外観や操作感に対する高い要求が増大している。携帯電話は、フルスクリーンに向かって開発されている。極めて狭いベゼルがフルスクリーン携帯電話の筐体とディスプレイスクリーンアセンブリの間に形成されるが、極めて狭いベゼルの幅が小さすぎることから、開口を形成するための十分なスペースが存在せず、また、開口を形成できたとしても、ベゼルの全体強度が減退し、さらには電子機器の信頼性が低下する結果を招く。
【００２５】
本開示の実施形態は、電子デバイス及びその製造方法を提供する。
【００２６】
本開示の実施形態に係る電子デバイスは、
光透過性ディスプレイスクリーンであって、第１の表面及び第１の表面と反対側の第２の表面を備える光透過性ディスプレイスクリーンと、
光透過性ディスプレイスクリーンの第１の表面に対向し、光透過性ディスプレイスクリーンを覆う光透過性カバープレートであって、光透過性カバープレートは平板部と１又は複数の曲面部とを備え、１又は複数の曲面部は、平板部から離れるように延在し、光透過性ディスプレイスクリーンから水平方向に突出し、光透過性ディスプレイスクリーンに向かって垂直方向に湾曲して、光透過性ディスプレイスクリーンとともに１又は複数の収容空間を形成する、光透過性カバープレートと、
１又は複数の収容空間に配置された１又は複数の光センサであって、１又は複数の曲面部を介して可視光を受光する、１又は複数の光センサと、
を含んでいる。
【００２７】
本開示の実施形態に係る電子デバイスの製造方法は、
光透過性ディスプレイスクリーンを提供することであって、ここで、光透過性ディスプレイスクリーンは、第１の表面と、第１の表面と反対側の第２の表面とを備えることと、
光透過性ディスプレイスクリーンの第１の表面を光透過性カバープレートで覆うことであって、ここで、光透過性カバープレートは、平板部と曲面部とを備え、曲面部は、平板部から離れるように延在し、光透過性ディスプレイスクリーンから水平に突出し、光透過性ディスプレイスクリーンに向かって垂直方向に湾曲して、光透過性ディスプレイスクリーンとともに収容空間を形成することと、
光センサを提供し、光センサを収容空間内に配置することであって、ここで、光センサは、曲面部を介して可視光を受光するように構成されることと、
を含んでいる。
【００２８】
図１乃至図４を参照すると、本開示の実施形態に係る電子デバイス１００は、光透過性ディスプレイスクリーン１３と、光透過性カバープレート１１と、光センサ１５と、筐体２０とを含んでいる。電子デバイス１００は、形態電話又はタブレットコンピュータなどと、することができる。本開示の実施形態に係る電子デバイス１００は、携帯電話を一例として取り上げて、図示されている。電子デバイス１００の具体的な形式は、他のものであってもよく、ここで限定されるものではない。光透過性ディスプレイスクリーン１３は、上側表面１３１（これは第１の表面の一例である）と、下側表面１３２（これは第２の表面の一例である）を含んでいる。下側表面１３２は、上側表面１３１の反対側である。光透過性ディスプレイスクリーン１３は、上側表面１３１を介して発光ディスプレイとして用いられる。光透過性カバープレート１１は、平板部１１１と、曲面部１１２とを含んでいる。曲面部１１２は、平板部１１１から離れるように延出して形成され、湾曲している。曲面部１１２は、光透過性ディスプレイスクリーン１３から突出しており、光透過性ディスプレイスクリーン１３とともに収容空間１４を形成する。光センサ１５は、収容空間１４に配置され、光センサ１５は、曲面部１１２を介して、可視光を受光する。
【００２９】
電子デバイス１００において、筐体２０は、主に、外的要因がこれらの要素に損傷を与えるのを防止するための収容及び保護の役割を果たす。加えて、筐体２０と電子デバイス１０が組み立てられて形成された電子デバイス１００が矩形形状を有するように、筐体２０は矩形のフレームに実質的に形成される。電子デバイス１００をより美的にするために、電子デバイス１００が丸みのある矩形を有するように、筐体２０の角部を丸める処理をすることができる。加えて、筐体２０は、ＣＮＣ工作機械によるアルミニウム合金の機械加工により形成されてもよく、又は、ポリカーボネイト（ＰＣ：polycarbonate）若しくはＡＢＳ材料と組み合わされたＰＣから射出成型されてもよい。
【００３０】
概要としては、本開示の実施形態の電子デバイス１００及び製造方法において、光透過性カバープレート１１は光透過性ディスプレイスクリーン１３を覆い、光透過性カバープレート１１の横方向寸法は、光透過性ディスプレイスクリーン１３のそれより大きい。光透過性カバープレート１１の曲面部１１２の突出部及び光透過性ディスプレイスクリーン１３は収容空間１４を形成し、光センサ１５は、フルスクリーンの場合、収容空間１４の内部に配置される。光センサ１５は、曲面部１１２を介して、可視光を受ける。このようにして、光センサ１５が、その機能を安定的に実行できることが保証される。
【００３１】
図２及び図３を参照すると、いくつかの実施形態において、曲面部１１２は、窓領域１１２３をさらに含み、光センサ１５及び窓領域１１２３は、互いに対向している。これにより、光センサ１５は、窓領域１１２３を通して可視光を受光し、可視光情報をプロセッサにフィードバックし、プロセッサは、光透過性ディスプレイスクリーン１３の明るさを自動的に調整するための対応する命令をプロセッサに供給し、ユーザが、異なる光環境においてより良好な体験を得ることができるようにして、電力もセーブされる。
【００３２】
再び図２及び図３を参照すると、いくつかの実施形態において、曲面部１１２は、第１の曲面部１１２１及び第２の曲面部１１２２を含んでおり、第１の曲面部１１２１及び第２の曲面部１１２２は対称的に配置される。曲面部１１２のそれぞれが、光透過性ディスプレイスクリーン１３とともに収容空間１４を形成する。光センサ１５は、第１の光センサ１５１及び第２の光センサ１５２を含んでおり、第１の光センサ１５１及び第２の光センサ１５２は、それぞれ、収容空間に配置される。このように、光透過性カバープレート１１の右側及び左側のそれぞれの収容空間１４に光センサ１５を提供することにより、２つの光センサ１５により受けた可視光の角度とデータは、互いに補償されて、光調整の精度を向上させて、より良い体験を保証する。
【００３３】
詳細には、インストールプロセス中、光センサ１５は、窓領域１１２３に対向し、第１の光センサ１５１及び第２の光センサ１５２は、それぞれ、第１の曲面部１１２１及び光透過性ディスプレイスクリーン１３によって、並びに第２の曲面部１１２２及び光透過性ディスプレイスクリーン１３によって形成される収容空間１４内に配置される。いくつかの例では、第１の光センサ１５１及び第２の光センサ１５２は、それぞれ、光検出面が曲面部１１２に可能な限り平行に維持できるように、平坦なディスプレイ部分が配置される平面に対して特定の傾斜角で傾けて収容空間１４内に配置される（例えば、図３に示されるように、第１の光センサは、平坦なプレート部分が位置する平面に対して傾きαの第１の角度で第１の収容空間内に配置され、第２の光センサは、平坦な部レート部分が位置する平面に対して傾きβの第２の角度で第２の収容空間に配置される）。他の例では、第１の光センサ１５１及び第２の光センサ１５２は、収容空間１４内に水平に配置される。光透過性カバープレート１１は曲面部１１２を含み、光センサ１５は、曲面部１１２を介して可視光を受光するので、もし１つの光センサ１５だけが用いられる場合、電子デバイスが同じ環境でユーザに使用されたときに、光透過性ディスプレイスクリーン１３が傾くと、光センサ１５の可視光を受ける角度が変化することとなり、光透過性ディスプレイスクリーン１３の輝度が著しく変化する要因となり、ユーザ体験に影響をもたらす。したがって、第１の光センサ１５１と第２の光センサ１５２は、それぞれ、透光性ディスプレイスクリーンの右側及び左側の収容空間１４に配置され、２つの光センサの可視光を受ける角度が互いに補償され、光調整の精度を保証することができる。さらに、いくつかの例では、光透過性ディスプレイスクリーン１３が平坦に置かれた場合、２つの光センサ１５が同じ角度で可視光を受光し、プロセッサは、光センサ１５のそれぞれのデータの５０％を、輝度を調整するための値として、用いることができる。他の例では、光透過性ディスプレイスクリーン１３が第１の光センサ１５１側に傾いた場合、第１の光センサ１５１の可視光を受ける角度が小さくなり、第２の光センサ１５２の可視光を受ける角度が大きくなり、このため、２つの光センサによる受光データが一致しなくなる。この場合、プロセッサは、輝度調整用の値として、２つのデータの平均値を使用して、光透過性ディスプレイスクリーン１３の輝度を正確に調整して、より良好なユーザ体験を保証することができる。さらに、いくつかの例では、第１の光センサ１５１及び第２の光センサ１５２は、形成された収容空間１４に対称的に配置されることができる。他の例では、第１の光センサ１５１及び第２の光センサ１５２は、形成された収容空間１４に対称的に配置されることができる。
【００３４】
図３及び４を参照すると、いくつかの実施形態では、光透過性ディスプレイスクリーン１３は、平坦なディスプレイ部分１３３を含む。この場合、光透過性ディスプレイスクリーン１３は、平坦なディスプレイスクリーンであり、光透過性カバープレート１１の平板部１１１のみを介して表示を行う。図５及び図６を参照すると、別の例では、光透過性ディスプレイスクリーン１３は、平坦なディスプレイ部分１３３及び湾曲したディスプレイ部分１３４を含み、湾曲したディスプレイ部分１３４は、平坦なディスプレイ部分１３３から離れて延出するように形成される。平坦なディスプレイ部分１３３の上側表面（第３の表面の一例）及び湾曲したディスプレイ部分１３４の上側表面（第４の表面の一例）は、光透過性ディスプレイスクリーン１３の上側表面１３１を構成し、光透過性カバープレート１１の横方向サイズは、光透過性ディスプレイスクリーン１３の横方向サイズよりも大きい。この場合、光透過性ディスプレイスクリーン１３は、湾曲したディスプレイスクリーンであり、光透過性ディスプレイスクリーン１３の両側の収容空間１４に配置された第１の光センサ１５１及び第２の光センサ１５２は、可視光を受光し、プロセッサにデータ信号を送信し、２つの光センサの受信した角度及びデータを、互いに補償し、これにより、光透過性ディスプレイスクリーン１３の輝度を正確に調整する。
【００３５】
いくつかの実施形態では、光透過性ディスプレイスクリーン１３は、ＯＬＥＤディスプレイスクリーンを含む。
【００３６】
具体的には、光透過性ディスプレイスクリーン１３は、ＯＬＥＤ（Organic Light-Emitting Display）スクリーンとすることができ、ＯＬＥＤスクリーンは、優れた光透過性能を有し、光センサ１５は、ディスプレイスクリーンの通常の表示機能に影響を及ぼすことなくＯＬＥＤスクリーンの下に配置することができ、光はＯＬＥＤスクリーンを通して光センサ１５によって受光することもできる。光透過性ディスプレイスクリーン１３は、マイクロＬＥＤスクリーンを採用することもでき、マイクロＬＥＤスクリーンは、良好な光透過性も有することが理解できよう。もちろん、これらのディスプレイスクリーンは単なる例示であり、本開示の実施形態はこれらに限定されない。
【００３７】
再び図３及び図４を参照すると、いくつかの実施形態において、電子デバイス１００は、光透過性タッチパネル１２をさらに含み、光透過性カバープレート１１は、光透過性タッチパネル１２上に形成され、光透過性タッチパネル１２は、光透過性ディスプレイスクリーン１３に配置される。光透過性ディスプレイスクリーン１３の上側表面１３１は、光透過性タッチパネル１２に対向しており、光透過性タッチパネル１２は、９０％より大きい可視光透過率を有する。
【００３８】
詳細には、光透過性タッチパネル１２は、主として、光透過性タッチパネル１２をユーザがタッチした時に生成された入力信号を受信し、この入力信号をデータ処理のためのプロセッサに送信するように構成されており、これにより、光透過性タッチパネル１２にユーザがタッチしたときの特定の位置を取得する。光透過性タッチパネル１２は、Ｉｎ−Ｃｅｌｌ又はＯｎ−Ｃｅｌｌボンディング技術を利用して、光透過性ディスプレイスクリーン１３に取り付けることができ、効果的に、ディスプレイスクリーンの重さを削減し、ディスプレイスクリーンの全体的な厚さを削減することができる。加えて、光透過性カバープレート１１は、光透過性タッチパネル１２上に配置され、これは、光透過性タッチパネル１２及びその内部構造を効果的に保護し、光透過性タッチパネル１２及び光透過性ディスプレイスクリーン１３を破損する外部の力を回避する。加えて、光透過性カバープレート１１及び光透過性タッチパネル１２は、９０％より大きい可視光透過率を有しており、これは、光透過性ディスプレイスクリーン１３がより良いコンテンツ及び効果を表示できる利点だけでなく、光透過性ディスプレイスクリーン１３の下側に配置された光センサ１５が安定的に可視光を受光できる利点を有し、これにより、光センサ１５の通常動作を保証する。
【００３９】
いくつかの実施形態では、光透過性ディスプレイスクリーン１３の上側表面１３１は、表示領域１３１１を含み、光透過性カバープレート１１の面積に対する表示領域１３１１の面積の比は、９０％よりも大きい。
【００４０】
具体的には、表示領域１３１１と光透過性カバープレート１１の面積比を設定することにより、光透過性カバープレート１１が光透過性ディスプレイスクリーン１３に取り付けられたとき、表示領域１３１１は、より大きいサイズ及び面積のコンテンツ及び効果を表示でき、これは、優れたユーザ体験を強化できるだけでなく、電子デバイス１００のスクリーン比を効果的に向上させることができ、フルスクリーン効果を達成することができる。
【００４１】
いくつかの実施形態では、光センサ１５は、周辺光センサ１５を含み、周辺光センサ１５は、光透過性ディスプレイスクリーン１３の明るさを調整するために、周囲光を感知するように構成される。
【００４２】
具体的には、ユーザが電子デバイスを異なる環境で使用する場合、光透過性カバープレート１１の曲面部１１２を介して周辺光が周辺光センサ１５で受光され、プロセッサのデータ計算により外光の強度が計算されて、光透過性ディスプレイスクリーン１３の明るさを自動的に調整することができ、これは、異なる環境における使用快適性を向上させることができるだけでなく、電力もセーブされる。
【００４３】
図４及び図６を参照すると、いくつかの実施形態において、電子デバイス１００は、バッファ層１６をさらに含み、バッファ層１６は、下側表面１３２を覆う。
【００４４】
詳細には、バッファ層１６は、光透過性タッチパネル１２及び光透過性ディスプレイスクリーン１３及びこれらの内部構造を保護するために、衝突及び衝撃を緩和するように構成され、外部衝撃の影響を受けて光透過性ディスプレイスクリーン１３が損傷されることを防止する。バッファ層１６は、発泡体又は発泡プラスチック又はゴムなどの軟性物質で構成されることができる。これらの緩衝材料は単なる例示であり、本開示の実施形態はこれらに限定されないことは、理解されるべきである。
【００４５】
図４及び図６を参照すると、いくつかの実施形態において、電子デバイス１００は、バッファ層１６を覆う金属シート１７をさらに含む。
【００４６】
詳細には、金属シート１７は、電磁干渉を遮蔽してグランドを接続するように構成され、温度上昇を拡散させる機能を有する。金属シート１７は、銅箔（Copper foil）やアルミニウム箔（Aluminum foil）等の金属材料を切削して形成することができる。これらの金属材料は単なる例示であり、本開示の実施形態はこれらに限定されないことは、理解されるべきである。
【００４７】
本開示の実施形態は、図７に示されるブロックの動作を含む電子デバイス１００の製造方法を提供する。
【００４８】
Ｓ３０１：光透過性ディスプレイスクリーン１３を提供する。光透過性ディスプレイスクリーン１３は上側表面１３１と、上側表面１３１の反対側の下側表面１３２とを有しており、光透過性ディスプレイスクリーン１３は、上側表面１３１を介した発光ディスプレイとして使用される。
【００４９】
Ｓ３０２：光透過性ディスプレイスクリーン１３を光透過性カバープレート１１で覆う。光透過性カバープレート１１は平板部１１１と曲面部１１２を含み、曲面部１１２は平板部１１１から離れて延出するように形成され、曲面部１１２は光透過性ディスプレイスクリーン１３から水平方向に突出して収容空間１４を形成する。
【００５０】
Ｓ３０３：光センサ１５を提供し、光センサ１５を収容空間に配置する。光センサ１５は、曲面部１１２を介して可視光を受光するように構成される。
【００５１】
詳細には、光透過性ディスプレイスクリーン１３は光透過性カバープレート１１で覆われ、光透過性カバープレート１１の横方向サイズは、光透過性ディスプレイスクリーン１３の横方向サイズより大きい。光透過性カバープレート１１の曲面部１１２の突出部及び光透過性ディスプレイスクリーン１３は収容空間１４を構成し、フルスクリーンの場合、収容空間１４に光センサ１５を配置することができ、光センサ１５は曲面部１１２を介して可視光の光を受けることができる。このため、光センサ１５が、他の要素と干渉すること無く、安定的な機能を実現できることが保証される。
【００５２】
光透過性ディスプレイスクリーン１３は、ＯＬＥＤ（Organic Light-Emitting Display）スクリーンであり、ＯＬＥＤスクリーンは、優れた光透過性を有し、可視光を透過する。このため、ＯＬＥＤスクリーンは、コンテンツや効果を表示しつつも、光センサ１５の可視光の受光に影響を与えない。光透過性ディスプレイスクリーン１３は、マイクロＬＥＤスクリーンを採用することもでき、マイクロＬＥＤスクリーンも、可視光に対する良好な光透過性を有している。もちろん、これらのディスプレイスクリーンは単なる例示であり、本開示の実施形態はこれらに限定されない。
【００５３】
いくつかの実施形態では、電子デバイス１００の製造方法は、図８に示されるブロックにおいて、以下の動作をさらに含む。
【００５４】
Ｓ３０４：曲面部１１２に窓領域１１２３を設け、光センサ１５が窓領域１１２３に対向するように配置する。
【００５５】
いくつかの実施形態では、電子デバイス１００の製造方法は、図８に示されるブロックにおいて、以下の動作をさらに含む。
【００５６】
Ｓ３０５：光透過性タッチパネル１２を光透過性ディスプレイスクリーン１３上に提供する。
【００５７】
詳細には、光透過性タッチパネル１２は、主として、光透過性タッチパネル１２をユーザがタッチしたときに生成された入力信号を受信し、この入力信号をデータ処理のために回路基板に送信するように構成されており、これにより、光透過性タッチパネル１２にユーザがタッチしたときの特定の位置を取得する。光透過性タッチパネル１２は、Ｉｎ−Ｃｅｌｌ又はＯｎ−Ｃｅｌｌボンディング技術を利用して、光透過性ディスプレイスクリーン１３に取り付けることができ、効果的に、ディスプレイスクリーンの重さを削減し、電子デバイス１００の全体的な厚さを削減することができる。
【００５８】
いくつかの実施形態では、電子デバイス１００の製造方法は、図９に示されるブロックにおいて、以下の動作をさらに含む。
【００５９】
Ｓ３０６：下側表面１３２上にバッファ層１６を設け、バッファ層１６が下側表面１３２を覆う。
【００６０】
詳細には、バッファ層１６は、光透過性タッチパネル１２及び光透過性ディスプレイスクリーン１３及びこれらの内部構造を保護するために、衝突及び衝撃を緩和するように構成され、外部衝撃の影響を受けて電子デバイス１００が損傷されることを防止する。バッファ層１６は、発泡体又は発泡プラスチック又はゴムなどの軟性物質で構成されることができる。これらの緩衝材料は単なる例示であり、本開示の実施形態はこれらに限定されないことは、理解されるべきである。
【００６１】
いくつかの実施形態では、電子デバイス１００の製造方法は、図１０に示されるブロックにおいて、以下の動作をさらに含む。
【００６２】
Ｓ３０７：バッファ層１６の下方に金属シート１７を設ける。金属シート１７はバッファ層１６を覆う。
【００６３】
詳細には、金属シート１７は、電磁干渉を遮蔽してグランドを接続するように構成され、温度上昇を拡散させる機能を有する。金属シート１７は、銅箔（Copper foil）やアルミニウム箔（Aluminum foil）等の金属材料を切削して形成することができる。これらの金属材料は単なる例示であり、本開示の実施形態はこれらに限定されないことは、理解されるべきである。
【００６４】
いくつかの実施形態において、曲面部１１２は、第１の曲面部１１２１及び第２の曲面部１１２２を含んでおり、第１の曲面部１１２１及び第２の曲面部１１２２は対称的に配置される。曲面部１１２のそれぞれが、光透過性ディスプレイスクリーン１３とともに収容空間１４を形成する。光センサ１５は、第１の光センサ１５１及び第２の光センサ１５２を含んでおり、第１の光センサ１５１及び第２の光センサ１５２は、それぞれ、収容空間に配置される。このように、光透過性カバープレート１１の右側及び左側のそれぞれの収容空間１４に光センサ１５を提供することにより、２つの光センサ１５により受けた可視光の角度とデータは、互いに補償されて、光調整の精度を向上させて、より良い体験を保証する。
【００６５】
詳細には、インストールプロセス中、光センサ１５は、窓領域１１２３に対向し、第１の光センサ１５１及び第２の光センサ１５２は、それぞれ、第１の曲面部１１２１及び光透過性ディスプレイスクリーン１３によって、並びに第２の曲面部１１２２及び光透過性ディスプレイスクリーン１３によって形成される収容空間１４内に配置される。光透過性カバープレート１１は曲面部１１２を含み、光センサ１５は、曲面部１１２を介して可視光を受光するので、もし１つの光センサ１５だけが用いられる場合、電子デバイスが同じ環境でユーザに使用されたときに、光透過性ディスプレイスクリーン１３が傾くと、光センサ１５の可視光を受ける角度が変化することとなり、光透過性ディスプレイスクリーン１３の輝度が著しく変化する要因となり、ユーザ体験に影響をもたらす。したがって、第１の光センサ１５１と第２の光センサ１５２は、それぞれ、透光性ディスプレイスクリーンの右側及び左側の収容空間１４に配置され、２つの光センサの可視光を受ける角度が互いに補償され、光調整の精度を保証することができる。さらに、いくつかの例では、光透過性ディスプレイスクリーン１３が平坦に置かれた場合、２つの光センサ１５が同じ角度で可視光を受光し、プロセッサは、光センサ１５のそれぞれのデータの５０％を、輝度を調整するための値として、用いることができる。他の例では、光透過性ディスプレイスクリーン１３が第１の光センサ１５１側に傾いた場合、第１の光センサ１５１の可視光を受ける角度が小さくなり、第２の光センサ１５２の可視光を受ける角度が大きくなり、このため、２つの光センサによる受光データが一致しなくなる。この場合、プロセッサは、輝度調整用の値として、２つのデータの平均値を使用して、光透過性ディスプレイスクリーン１３の輝度を正確に調整して、より良好なユーザ体験を保証することができる。さらに、いくつかの例では、第１の光センサ１５１及び第２の光センサ１５２は、形成された収容空間１４に対称的に配置されることができる。他の例では、第１の光センサ１５１及び第２の光センサ１５２は、第１の光センサ１５１及び第２の光センサ１５２は、形成された収容空間１４に対称的に配置されることができる。このため、光透過性カバープレート１１の右側及び左側のそれぞれの収容空間１４に光センサ１５を設けることにより、２つの光センサ１５の受けた角度とデータを互いに補償して、光センサ１５の動作の正確性を改善し、より良いユーザ経験を保証する。
【００６６】
本発明において、特に断らない限り、第１の特徴が第２の特徴の「上」又は「下」にある構造は、第１の特徴が第２の特徴と直接接触する実施形態を含むことができ、第１の特徴と第２の特徴とが直接接触せず、それらの間に形成された追加の特徴を介して接触する実施形態も含むことができる。さらに、第２の特徴の「上に」、「上方に」、又は「頂部に」ある第１の特徴は、第１の特徴が第２の特徴の直角に又は斜め「上に」、「上方に」、又は「頂部に」ある実施形態を含んでもよく、又は単に第１の特徴が第２の特徴の高さよりも高い高さにあることを意味し、第２の特徴の「下に」、「下方に」、又は「底部に」ある第１の特徴は、第１の特徴が第２の特徴の直角に又は斜め「下方に」、又は単に第１の特徴が第２の特徴の高さよりも低い高さにある実施形態を含んでもよい。
【００６７】
本開示の異なる構造を実装するために、様々な実施形態及び例が本明細書において提供される。本開示を簡略化するために、特定の要素及び設定について説明されている。しかしながら、これらの要素及び設定は、例示としてのみであり、本開示を限定することを意図しない。また、本発明の異なる実施形態において、参照符号が繰り返されることがある。この繰り返しは、簡略化及び明瞭化の目的のためであり、異なる実施形態及び／又は設定の間の関係を参照しない。さらに、種々のプロセス及び材料の例が、本開示において提供される。しかしながら、他のプロセス及び／又は材料も適用され得ることが当業者には理解されよう。
【００６８】
本明細書を通して、「実施形態」、「いくつかの実施形態」、「例示的な実施形態」、「例」、「特定の例」、又は「いくつかの例」への言及は、実施形態又は例示に関連して説明される特定の特徴、構造、材料、又は特性が、本開示の少なくとも１つの実施形態又は例示に含まれることを意味する。したがって、本明細書全体を通して様々な場所での「いくつかの実施形態では」、「一実施形態では」、「ある実施形態では」、「別の例では」、「例示では」、「特定の例では」、又は「いくつかの例では」などの句の出現は、必ずしも本開示の同じ実施形態又は例示を指すとは限らない。さらに、特定の特徴、構造、材料、又は特性は、１つ又は複数の実施形態又は例において任意の適切な方法で組み合わせることができる。
【図１】
2021502602.tif 000003
【図２】
2021502602.tif 000004
【図３】
2021502602.tif 000005
【図４】
2021502602.tif 000006
【図５】
2021502602.tif 000007
【図６】
2021502602.tif 000008
【図７】
2021502602.tif 000009
【図８】
2021502602.tif 000010
【図９】
2021502602.tif 000011
【図１０】
2021502602.tif 000012
【国際調査報告】
2021502602.tif 000013
2021502602.tif 000014